(57)【要約】【課題】運転者に提供すべきナビゲーションの遅延を抑制する。【解決手段】ナビゲーション画面データ生成部１４は、取得される地図データに、位置情報により特定される位置に自車を表示するための自車位置データを合成してナビゲーション画面データを生成する。音声案内データ取得部１２は、取得される位置情報に応じた音声案内データを取得する。外部機器接続部８０は、ナビゲーション画面データおよび音声案内データを通信路３００を介して車載装置２００に送信する。表示切替制御部１７は、車載装置２００から音声案内メッセージが出力されるべき予定時刻の前に、ナビゲーション画面の表示形式を簡易な表示形式に切り替える。【選択図】図２
2014013148.tif 000002
【特許請求の範囲】
【請求項１】
位置情報を取得する位置情報取得部と、
取得される位置情報に対応する地図データを取得する地図データ取得部と、
取得される地図データに、前記位置情報により特定される位置に自車を表示するための自車位置データを合成してナビゲーション画面データを生成するナビゲーション画面データ生成部と、
取得される位置情報に応じた音声案内データを取得する音声案内データ取得部と、
前記ナビゲーション画面データおよび前記音声案内データを通信路を介して車載装置に送信する通信部と、
前記車載装置に表示されるナビゲーション画面の表示形式を切り替える表示切替制御部と、を備え、
前記表示切替制御部は、前記車載装置から音声案内メッセージが出力されるべき予定時刻の前に、前記ナビゲーション画面の表示形式を簡易な表示形式に切り替えることを特徴とする端末装置。
【請求項２】
前記ナビゲーション画面データ生成部は、あるナビゲーション画面データを、そのナビゲーション画面データと時間的に異なるナビゲーション画面データとの差分データで生成し、
前記表示切替制御部は、前記予定時刻の前に、画面の変化が相対的に小さい表示形式に切り替えることを特徴とする請求項１に記載の端末装置。
【請求項３】
前記表示切替制御部は、前記予定時刻の前に、自車位置固定および地図可変の表示形式から、自車位置可変および地図固定の表示形式に切り替えることを特徴とする請求項１または２に記載の端末装置。
【請求項４】
端末装置からナビゲーション画面データおよび音声案内データを通信路を介して受信する通信部と、
前記ナビゲーション画面データをもとにナビゲーション画面を表示する表示部と、
前記音声案内データをもとに音声案内メッセージを出力する音声出力部と、
を備え、
前記表示部は、前記音声案内メッセージが出力されるべき予定時刻の前に、表示形式が簡易な表示形式に切り替えられるナビゲーション画面を表示することを特徴とする車載装置。
【請求項５】
位置情報を取得する位置情報取得機能と、
取得される位置情報に対応する地図データを取得する地図データ取得機能と、
取得される地図データに、前記位置情報により特定される位置に自車を表示するための自車位置データを合成してナビゲーション画面データを生成するナビゲーション画面生成機能と、
取得される位置情報に応じた音声案内データを取得する音声案内データ取得機能と、
前記ナビゲーション画面データおよび前記音声案内データを通信路を介して、車載装置に送信する送信機能と、
前記車載装置に表示されるナビゲーション画面の表示形式を切り替える表示切替制御機能と、をコンピュータに実現させ、
前記表示切替制御機能は、前記車載装置から音声案内メッセージが出力されるべき予定時刻の前に、前記ナビゲーション画面の表示形式を簡易な表示形式に切り替えることを特徴とするナビゲーションプログラム。
【発明の詳細な説明】
【技術分野】
【０００１】
本発明は、ナビゲーションを行う端末装置、車載装置、ナビゲーションプログラムに関する。
【背景技術】
【０００２】
近年、スマートフォン上で動作するカーナビアプリが普及している。このようなカーナビアプリがインストールされたスマートフォンは、原則的にダッシュボード上のホルダに固定して使用される。しかしながら、一般的なスマートフォンの画面サイズは４インチ前後であり、既存のカーナビゲーション専用機の画面サイズと比較して小さい。そこでスマートフォン等の携帯機器と既存の車載器（例えば、ディスプレイオーディオ、カーナビゲーション専用機）を連携し、携帯機器上のアプリケーションにより生成される映像および音声を、車載器のディスプレイおよびスピーカから出力することが提案されている（例えば、特許文献１参照）。
【先行技術文献】
【特許文献】
【０００３】
【特許文献１】特開２０１２−１０２８７号
【発明の概要】
【発明が解決しようとする課題】
【０００４】
カーナビゲーションシステムでは、映像および音声のリアルタイム出力が強く求められる。携帯機器などの端末装置と、車載器が連携したカーナビゲーションシステムでも同様である。
【０００５】
本発明はこうした状況に鑑みなされたものであり、その目的は、運転者に提供すべきナビゲーション情報の遅延を抑制する技術を提供することにある。
【課題を解決するための手段】
【０００６】
本発明のある態様の端末装置は、位置情報を取得する位置情報取得部と、取得される位置情報に対応する地図データを取得する地図データ取得部と、取得される地図データに、位置情報により特定される位置に自車を表示するための自車位置データを合成してナビゲーション画面データを生成するナビゲーション画面データ生成部と、取得される位置情報に応じた音声案内データを取得する音声案内データ取得部と、ナビゲーション画面データおよび音声案内データを通信路を介して車載装置に送信する通信部と、車載装置に表示されるナビゲーション画面の表示形式を切り替える表示切替制御部と、を備える。表示切替制御部は、車載装置から音声案内メッセージが出力されるべき予定時刻の前に、ナビゲーション画面の表示形式を簡易な表示形式に切り替える。
【０００７】
本発明の別の態様は、車載装置である。この装置は、上述の端末装置からナビゲーション画面データおよび音声案内データを通信路を介して受信する通信部と、ナビゲーション画面データをもとにナビゲーション画面を表示する表示部と、音声案内データをもとに音声案内メッセージを出力する音声出力部と、を備える。表示部は、音声案内メッセージが出力されるべき予定時刻の前に、表示形式が簡易な表示形式に切り替えられるナビゲーション画面を表示する。
【０００８】
なお、以上の構成要素の任意の組み合わせ、本発明の表現を方法、装置、システム、記録媒体、コンピュータプログラムなどの間で変換したものもまた、本発明の態様として有効である。
【発明の効果】
【０００９】
本発明によれば、運転者に提供すべきナビゲーション情報の遅延を抑制できる。
【図面の簡単な説明】
【００１０】
【図１】本発明の実施の形態に係るカーナビゲーションシステムの構成を示す図である。
【図２】本発明の実施の形態に係る携帯端末装置および車載装置の構成を示す図である。
【図３】ナビゲーション画面の具体例を示す図である。
【図４】本発明の実施の形態に係る携帯端末装置の動作を説明するためのフローチャートである。
【図５】図４のフローチャートのステップＳ１２およびステップＳ１７のデータ送信処理のサブルーチンを説明するためのフローチャートである。
【発明を実施するための形態】
【００１１】
図１は、本発明の実施の形態１に係るカーナビゲーションシステム５００の構成を示す図である。カーナビゲーションシステム５００は携帯端末装置１００および車載装置２００を備え、携帯端末装置１００および車載装置２００は通信路３００により接続される。携帯端末装置１００はスマートフォン、携帯電話機、タブレット、ＰＤＡなどが該当する。車載装置２００はカーナビゲーション装置、ディスプレイオーディオなどが該当する。通信路３００はＵＳＢなどの有線通信、Bluetooth（登録商標）、Ｗｉ−Ｆｉ（登録商標）などの短距離無線通信が該当する。
【００１２】
携帯端末装置１００は、カーナビゲーションのための映像データおよび音声データを車載装置２００に転送し、車載装置２００は当該映像データを映像表示し、当該音声データを音声出力する。カーナビゲーションシステム５００では映像データおよび音声データが同一の通信路３００により転送される。
【００１３】
ナビゲーション画面の高画質化が年々進んでおり、映像のデータ量が多くなってきている。通信路３００が混雑すると映像データおよび音声データの転送が阻害され、画面更新の遅れ、または音声出力タイミングの遅れが生じやすくなる。カーナビゲーションシステム５００では画面更新および音声案内が遅延なく実施される必要がある。特に音声案内は遅延なく運転者に提供される必要がある。したがって通信路３００が混雑していても映像データおよび音声データの遅延を回避する仕組みが必要となる。
【００１４】
図２は、本実施の形態に係る携帯端末装置１００および車載装置２００の構成を示す図である。車載装置２００は制御部２１０、表示部２２０、音声出力部２３０、外部機器接続部２４０を備える。制御部２１０は表示制御部２１１、音声出力制御部２１２および一時保持部２１３を含む。表示部２２０は液晶ディスプレイまたは有機ＥＬディスプレイを備え、表示制御部２１１から供給される映像データを表示する。音声出力部２３０はスピーカを備え、音声出力制御部２１２から供給される音声データを音声出力する。
【００１５】
外部機器接続部２４０はＵＳＢホストまたは短距離通信モジュールなどを備え、他の機器の外部機器接続部（本実施の形態では携帯端末装置１００の外部機器接続部８０）と有線または無線で接続される。本実施の形態では外部機器接続部２４０は、携帯端末装置１００から送信されるナビゲーション用の映像データおよび音声データを受信し、制御部２１０に出力する。
【００１６】
一時保持部２１３は、外部機器接続部２４０から入力される映像データおよび音声データを一時保持するためのバッファである。表示制御部２１１は、一時保持部２１３に保持される映像データを所定のタイミングで表示部２２０に供給する。音声出力制御部２１２は、一時保持部２１３に保持される音声データを所定のタイミングで音声出力部２３０に供給する。
【００１７】
携帯端末装置１００は、制御部１０、地図データ保持部２０、音声データ保持部３０、ＧＰＳ部４０、ネットワーク接続部５０、表示部６０、操作部７０および外部機器接続部８０を備える。制御部１０は、地図データ取得部１１、音声案内データ取得部１２、位置情報取得部１３、ナビゲーション画面データ生成部１４、一時保持部１５、ストリーム生成部１６および表示切替制御部１７を含む。
【００１８】
制御部１０の構成は、ハードウェア的には、任意のコンピュータのプロセッサ、メモリ、その他のＬＳＩで実現でき、ソフトウェア的にはメモリにロードされたプログラムなどによって実現されるが、ここではそれらの連携によって実現される機能ブロックを描いている。したがって、これらの機能ブロックがハードウェアのみ、ソフトウェアのみ、またはそれらの組み合わせによっていろいろな形で実現できることは、当業者には理解されるところである。例えば、システムコントローラ、アプリケーションプロセッサ、メモリおよびメモリ上のカーナビゲーションアプリケーションプログラムの協働により実現される。
【００１９】
地図データ保持部２０は地図データを保持する。音声データ保持部３０は音声案内メッセージのテンプレートとなる音声データを保持する。地図データ保持部２０および音声データ保持部３０は、内蔵メモリ上に構築されてもよいし外部記録媒体上に構築されてもよい。
【００２０】
ＧＰＳ部４０はＧＰＳ受信機を備え、複数のＧＰＳ衛星から電波を受信して測位する。ＧＰＳ部４０は、経度緯度で規定される位置情報を制御部１０に出力する。ネットワーク接続部５０は携帯電話網または無線ＬＡＮを介してインターネットに接続するための通信モジュールを備える。本実施の形態ではネットワーク接続部５０は、ネットワーク上の図示しない地図サーバと接続し、地図データおよび音声案内用の音声データを受信し、制御部１０に供給する。
【００２１】
当該地図データおよび音声データは、カーナビゲーションアプリケーションの初回ダウンロード時またはアップデート時に取得され、地図データ保持部２０および音声データ保持部３０に一括に保持されてもよい。また当該カーナビゲーションアプリケーションの実行時に、現在の位置情報に応じて、必要部分のデータが適応的に取得されてもよい。
【００２２】
表示部６０は液晶ディスプレイまたは有機ＥＬディスプレイを備え、制御部１０から供給される映像データを表示する。操作部７０は物的キーおよび／または当該ディスプレイ上に形成されるタッチパネルキーを備える。操作部７０はユーザ操作を受け付け、その操作に応じた操作信号を制御部１０に供給する。本実施の形態では表示部６０はカーナビゲーションアプリケーションの操作画面を表示し、操作部７０はユーザから目的地の入力を受け付ける。
【００２３】
外部機器接続部８０はＵＳＢホストまたは短距離通信モジュールなどを備え、他の機器の外部機器接続部（本実施の形態では車載装置２００の外部機器接続部２４０）と有線または無線で接続される。本実施の形態では外部機器接続部８０は、制御部１０から供給されるナビゲーション用の映像データおよび音声データを車載装置２００に送信する。
【００２４】
位置情報取得部１３は、ＧＰＳ部４０から入力される位置情報を取得し、地図データ取得部１１および音声案内データ取得部１２に渡す。地図データ取得部１１は、位置情報取得部１３により取得される位置情報に対応する地図データを地図データ保持部２０から取得する。具体的には当該位置情報により特定される現在位置の周囲の地図データを取得する。
【００２５】
ナビゲーション画面データ生成部１４は、地図データ取得部１１から取得される地図データに、位置情報取得部１３により取得される位置情報により特定される位置に自車を表示するための自車位置データを合成してナビゲーション画面データを生成する。ナビゲーション画面において一般的に自車は、進行方向に矢が伸びた矢印マークで表示される。ナビゲーション画面データ生成部１４は、当該位置情報をもとに画面に表示させる地図の範囲を特定し、その地図上の自車位置に矢印マークを重畳することにより、ナビゲーション画面データを生成する。
【００２６】
本実施の形態ではナビゲーション画面データ生成部１４は、あるナビゲーション画面データを、そのナビゲーション画面データと時間的に異なるナビゲーション画面データとの差分データで生成する。具体的には一つ前のナビゲーション画面データとの差分データを生成する。これにより、ナビゲーション画面データのデータ量を削減できる。ナビゲーション画面データ生成部１４により生成されたナビゲーション画面データは一時保持部１５に一時保持される。
【００２７】
音声案内データ取得部１２は、位置情報取得部１３により取得される位置情報に応じた音声案内データを音声データ保持部３０から取得する。ナビゲーション中には様々な音声案内が音声出力される。主なものにルート音声案内がある。ルート音声案内には音声分岐案内が含まれる。音声分岐案内は、現在位置から目的地までのルートにしたがい、分岐路の手前で曲がる方向を案内するものである。曲がる方向は８方向または１０方向で規定される。音声分岐案内は分岐路（例えば、交差点）の手前から複数回、音声出力される。例えば、交差点の約７００ｍ手前、約３００ｍ手前、直前の３回音声案内される。具体的には、「およそ７００ｍ先、斜め左方向です。」といったメッセージが音声出力される。ルート音声案内では目的地に近づくと、「目的地周辺です。」といったメッセージが音声出力される。また音声案内には、ルート音声案内の他、事故多発地点案内、居眠り防止案内などがある。
【００２８】
音声案内データ取得部１２は、地図データに含まれる道路データの位置情報と、位置情報取得部１３により取得される自車の位置情報をもとに、分岐路と自車との距離を算出できる。音声案内データ取得部１２は、当該距離および車両速度をもとに、これから必要となる音声メッセージを特定する。なお車両速度は固定の想定平均速度を使用してもよいし、図示しない加速度センサから入力される値から推測してもよい。
【００２９】
音声案内データ取得部１２は、当該音声メッセージの音声データ（以下、音声案内データという）を音声データ保持部３０から取得する。取得された音声案内データは一時保持部１５に一時保持される。
【００３０】
ストリーム生成部１６は、一時保持部１５に保持されるナビゲーション画面データおよび音声案内データを重畳してデータストリームを生成する。その際、ストリーム生成部１６は音声案内データの重畳位置を、音声案内データ取得部１２により算出される、音声案内メッセージの音声出力時刻をもとに決定する。生成されたデータストリームは、外部機器接続部８０により車載装置２００に送信される。
【００３１】
表示切替制御部１７は、車載装置２００の表示部２２０に表示されるナビゲーション画面の表示形式を切り替える。具体的には表示切替制御部１７は、車載装置２００の音声出力部２３０から音声案内メッセージが出力されるべき予定時刻の前に、ナビゲーション画面の表示形式を簡易な表示形式に切り替える。具体的には当該予定時刻から設定時間前までの期間、ナビゲーション画面の表示形式を簡易な表示形式に切り替える。
【００３２】
表示切替制御部１７は音声案内データ取得部１２から、音声案内メッセージが出力されるべき音声出力時刻を取得する。以下、具体例を挙げて説明する。音声案内データ取得部１２は、自車と交差点との距離が３ｋｍ未満になると、音声分岐案内メッセージの音声案内データを音声データ保持部３０から先読みする。車速が時速６０ｋｍの場合、交差点の７００ｍ手前の音声案内メッセージは、現在から２分１８秒後に音声出力される必要がある。音声案内データ取得部１２は、この音声出力されるべき予定時刻をストリーム生成部１６および表示切替制御部１７に供給する。
【００３３】
表示切替制御部１７は当該予定時刻から設定時間（例えば５秒）前までの期間の、ナビゲーション画面の表示形式を簡易な表示形式にするようナビゲーション画面データ生成部１４に指示する。ナビゲーション画面データ生成部１４は、表示切替制御部１７から当該指示を受けると、指定された期間、簡易な表示形式のナビゲーション画面データを生成する。
【００３４】
当該簡易な表示形式とは画面の変化が相対的に小さい表示形式を指す。特に本実施の形態ではナビゲーション画面データが時間的に一つ前のナビゲーション画面データとの差分データで規定される。したがって画面の変化量が小さいほど、ナビゲーション画面データのデータ量が小さくなる。
【００３５】
表示切替制御部１７は、地図更新型表示形式および自車更新型表示形式の二つを選択できる。地図更新型表示形式は、自車位置固定および地図可変の表示形式である。この地図更新型表示形式ではナビゲーション画面において自車位置の表示座標が固定され、地図がスクロールされる。走行中は、常に地図がスクロールされる表示態様となる。
【００３６】
自車更新型表示形式は、自車位置可変および地図固定の表示形式である。この自車更新型表示形式ではナビゲーション画面において地図が固定され、その地図内の自車位置マークが移動する。走行中は、常に自車位置マークが動いている表示態様となる。
【００３７】
地図更新型表示形式と自車更新型表示形式を比較すると、前者のほうが自車の周囲の情報を常に万遍なく表示できる。ただし画面の変化は後者のほうが圧倒的に少ないため、後者のほうがデータ量を大幅に低減できる。
【００３８】
表示切替制御部１７は、通常時に地図更新型表示形式を選択し、負荷軽減を図る必要があるとき自車更新型表示形式を選択する。表示切替制御部１７は上述の予定時刻から設定時間前までの期間、自車更新型表示形式を選択する。この期間は音声案内メッセージを出力する直前の期間である。音声案内メッセージは遅延なく音声出力される必要がある。またナビゲーション画面データのデータ量が増えると、通信路３００の通信負荷および車載装置２００の制御部２１０の処理負荷が上昇し、伝送遅延または処理遅延が発生する確率が上がる。そこで表示切替制御部１７は、音声案内メッセージを出力する直前の期間における遅延発生確率を低減すべく、自車更新型表示形式を選択する。
【００３９】
図３は、ナビゲーション画面の具体例を示す図である。図３に示すナビゲーション画面は上の画面から下の画面に遷移する。図３に示すナビゲーション画面には自車位置マークＣ１および郵便局マークＰ１が表示されている。郵便局は交差点の角に位置している。第１ナビゲーション画面Ｉ１および第２ナビゲーション画面Ｉ２は、地図更新型表示形式で表示される。
【００４０】
それ以降の表示形式は音声案内機能がオンかオフにより異なる。音声案内機能がオフの場合、左側の第３ナビゲーション画面Ｉ３ａ、第４ナビゲーション画面Ｉ４ａ、第５ナビゲーション画面Ｉ５と遷移する。この場合、これまで通り地図更新型表示形式で表示される。
【００４１】
音声案内機能がオンの場合、右側の第３ナビゲーション画面Ｉ３ｂ、第４ナビゲーション画面Ｉ４ｂ、第５ナビゲーション画面Ｉ５と遷移する。角に郵便局がある交差点と自車の距離が設定距離より近づくと、音声案内データ取得部１２は、音声分岐案内メッセージを取得する。表示切替制御部１７は、音声分岐案内メッセージを出力する直前の期間が開始すると地図更新型表示形式から自車更新型表示形式に切り替える。第３ナビゲーション画面Ｉ３ｂから第４ナビゲーション画面Ｉ４ｂに遷移するとき、音声分岐案内メッセージが音声出力される。例えば「およそ３００ｍ先、直進です。」と音声出力される。
【００４２】
表示切替制御部１７は、音声案内メッセージの音声出力が終了すると自車更新型表示形式から地図更新型表示形式に切り替える。第５ナビゲーション画面Ｉ５は地図更新型表示形式で表示される。
【００４３】
図４は、本実施の形態に係る携帯端末装置１００の動作を説明するためのフローチャートである。まず音声案内データ取得部１２は、自車の位置情報、地図データ、経路情報、時刻情報などをもとに、次回の音声再生時刻を算出する（Ｓ１０）。ナビゲーション画面データ生成部１４は、自車の位置情報をもとにナビゲーション画面を更新する（Ｓ１１）。外部機器接続部８０は、少なくともナビゲーション画面データを含むストリームデータを車載装置２００に送信する（Ｓ１２）。
【００４４】
表示切替制御部１７は、現在時刻から次回の音声再生時刻までの到達時間を算出する（Ｓ１３）。表示切替制御部１７は、当該到達時間と設定時間を比較する（Ｓ１４）。到達時間が設定時間以上の間（Ｓ１４のＮ）、ステップＳ１１に遷移する。到達時間が設定時間より短くなると（Ｓ１４のＹ）、表示切替制御部１７は地図更新型表示形式から自車更新型表示形式に切り替える（Ｓ１５）。
【００４５】
ナビゲーション画面データ生成部１４は、自車の位置情報をもとにナビゲーション画面を更新する（Ｓ１６）。外部機器接続部８０は、少なくともナビゲーション画面データを含むストリームデータを車載装置２００に送信する（Ｓ１７）。表示切替制御部１７は、音声データの送信が完了したか否か判定する（Ｓ１８）。完了していない間（Ｓ１８のＮ）、ステップＳ１６に遷移する。完了すると（Ｓ１８のＹ）、表示切替制御部１７は自車更新型表示形式から地図更新型表示形式に切り替える（Ｓ１９）。以上のステップＳ１０からステップＳ１９までの処理がナビゲーション終了まで（Ｓ１９９のＹ）、繰り返し実行される（Ｓ１９９のＮ）。
【００４６】
図５は、図４のフローチャートのステップＳ１２およびステップＳ１７のデータ送信処理のサブルーチンを説明するためのフローチャートである。ナビゲーション画面データ生成部１４は、ナビゲーション画面が更新されると、前回のナビゲーション画面の映像データと今回のナビゲーション画面の映像データとの差分を抽出する（Ｓ１２１）。外部機器接続部８０は当該差分データを送信する（Ｓ１２２）。外部機器接続部８０は、今回のナビゲーション画面の表示タイミングに音声出力されるべき音声案内データが存在する場合（Ｓ１２３のＹ）、当該音声案内データを送信する（Ｓ１２４）。
【００４７】
以上説明したように本実施の形態によれば、音声案内メッセージが音声出力されるタイミングおよびその直前の期間のナビゲーション画面の映像データ量を低減することにより、音声案内メッセージの遅延を抑制できる。また音声案内メッセージが音声出力されるタイミングのナビゲーション画面の表示遅延も抑制できる。音声案内メッセージが音声出力されるタイミングは交差点または目的地への接近など、運転者によりナビゲーション画面が確認されやすいタイミングであり、表示遅延を抑制する要請が強い。
【００４８】
また簡易な表示形式として自車更新型表示形式を選択することにより、画面サイズの縮小および表示内容の簡略化をせずに通信負荷および処理負荷を大幅に低減できる。
【００４９】
以上、説明した。実施の形態は例示であり、それらの各構成要素や各処理プロセスの組合せにいろいろな変形例が可能なこと、またそうした変形例も本発明の範囲にあることは当業者に理解されるところである。
【００５０】
なお、上述の実施の形態では表示切替制御部１７が通常の表示形式から簡易な表示形式に切り替える際、地図更新型表示形式から自車更新型表示形式に切り替える例を説明した。この点、実施の形態では自車更新型表示形式への切り替えに限るものではない。例えば、ナビゲーション画面の優先順位の低い文字情報および／マークを省略した、表示内容を簡易化した表示形式に切り替えてもよい。また解像度を落とした画面に切り替えてもよい。
【００５１】
また、上述の実施の形態では、位置情報取得部１３が携帯端末装置１００自身の備えるＧＰＳ部４０から位置情報を取得する例を説明した。それ以外に、車載装置２００側にＧＰＳ部を備え、位置情報取得部１３は、通信路３００を介して車載装置側のＧＰＳ部から入力される位置情報を取得するようにしてもよい。携帯端末装置を置く場所によってはＧＰＳの位置精度が落ちてしまうため、ＧＰＳアンテナの位置が固定されている車載装置側から位置情報を取得することで、位置精度を上げることができる。
【符号の説明】
【００５２】
５００  カーナビゲーションシステム、  １００  携帯端末装置、  １０  制御部、  １１  地図データ取得部、  １２  音声案内データ取得部、  １３  位置情報取得部、  １４  ナビゲーション画面データ生成部、  １５  一時保持部、  １６  ストリーム生成部、  １７  表示切替制御部、  ２０  地図データ保持部、  ３０  音声データ保持部、  ４０  ＧＰＳ部、  ５０  ネットワーク接続部、  ６０  表示部、  ７０  操作部、  ８０  外部機器接続部、  ２００  車載装置、  ２１０  制御部、  ２１１  表示制御部、  ２１２  音声出力制御部、  ２１３  一時保持部、  ２２０  表示部、  ２３０  音声出力部、  ２４０  外部機器接続部、  ３００  通信路。
【図１】
2014013148.tif 000003
【図２】
2014013148.tif 000004
【図３】
2014013148.tif 000005
【図４】
2014013148.tif 000006
【図５】
2014013148.tif 000007